(57)【要約】【課題】  １回に撮影できる人数に制限があっても全員の集合写真を提供することが可能な写真撮影装置、写真画像作成方法、及びプログラムを提供する。【解決手段】  写真撮影装置１は、デジタルカメラ３０により複数回のクロマキー撮影を行う際に、既に撮影された画像６１、６２を予め決定された撮影画像配置領域（１回目は配置領域５２ｂ、２回目は配置領域５２ｃ）に配置して表示するとともに、撮影中（例えば３回目）の画像のライブビュー６３Ｌを上記配置領域５２ｂ、５２ｃとは別の配置領域５２ｄに配置して表示させる。また、撮影された複数枚の画像６１、６２、６３の背景除去画像をそれぞれ予め決定された配置領域５２ｂ、５２ｃ、５２ｄに配置して１つの合成画像８を生成する。【選択図】図１２
2020127165.tif 000002
【特許請求の範囲】
【請求項１】
複数回のクロマキー撮影を行う撮影手段と、
前記撮影手段による撮影を行う際に、既に撮影された画像を予め決定された配置領域に配置して表示するとともに、撮影中の画像のライブビューを前記配置領域とは別の配置領域に配置して表示させる表示制御手段と、
前記撮影手段により撮影された複数の画像をそれぞれ予め決定された配置領域に配置して１つの合成画像を生成する写真生成手段と、
を備えることを特徴とする写真撮影装置。
【請求項２】
写真に用いるテンプレートを選択するテンプレート選択手段と、
前記テンプレート選択手段により選択されたテンプレートに基づいて各回の撮影画像の配置領域を算出する配置領域決定手段を更に備えることを特徴とする請求項１に記載の写真撮影装置。
【請求項３】
撮影回数の入力を受け付ける撮影回数入力手段を更に備え、
前記配置領域決定手段は、更に、前記撮影回数入力手段により入力された撮影回数に基づいて各回の撮影画像の配置領域を算出することを特徴とする請求項２に記載の写真撮影装置。
【請求項４】
撮影人数の入力を受け付ける撮影人数入力手段と、
前記撮影人数入力手段により入力された撮影人数に基づいて撮影回数を算出する撮影回数算出手段を更に備え、
前記配置領域決定手段は、更に、前記撮影回数算出手段により算出された撮影回数に基づいて各回の撮影画像の配置領域を算出することを特徴とする請求項２に記載の写真撮影装置。
【請求項５】
前記テンプレートの撮影画像配置可能範囲の形状と撮影回数または撮影人数に応じて画像サイズを変更する画像サイズ変更手段を更に備えることを特徴とする請求項２から請求項４のいずれかに記載の写真撮影装置。
【請求項６】
前記表示制御手段により表示された既に撮影された画像の配置領域の調整を受け付ける調整手段を更に備えることを特徴とする請求項１から請求項５のいずれかに記載の写真撮影装置。
【請求項７】
複数回のクロマキー撮影を行うステップと、
各回の撮影を行う際に、既に撮影された画像を予め決定された配置領域に配置して表示するとともに、撮影中の画像のライブビューを前記配置領域とは別の配置領域に配置して表示させるステップと、
撮影された複数の画像をそれぞれ予め決定された配置領域に配置して１つの合成画像を生成するステップと、
を含むことを特徴とする写真画像作成方法。
【請求項８】
コンピュータを、
複数回のクロマキー撮影を行う際に、既に撮影された画像を予め決定された配置領域に配置して表示するとともに、撮影中の画像のライブビューを前記配置領域とは別の配置領域に配置して表示させる表示制御手段、
前記撮影手段により撮影された複数の画像をそれぞれ予め決定された配置領域に配置して１つの合成画像を生成する写真生成手段、
として機能させるためのプログラム。
【発明の詳細な説明】
【技術分野】
【０００１】
本発明は、写真撮影装置、写真画像作成方法、及びプログラムに関し、詳細には、写真撮影装置で撮影した撮影画像の加工に関する。
【背景技術】
【０００２】
従来より普及しているボックス型やオープン型等の据置型の写真撮影装置では、１回の撮影画像を用いて、その撮影画像とテンプレートとを合成した写真を提供している。また、撮影を複数回行った場合は、写真１枚分の領域をフレーム分割し、フレーム毎に各撮影画像を割り付けた印刷物を提供している（特許文献１）。
【０００３】
また、クロマキーを利用した背景合成を行って写真を作成する技術が知られている。上述の写真撮影装置においても、装置に予め用意された前景・背景を撮影画像と合成して、前景・背景の世界観に入り込んだような写真を手軽に得ることが可能となっている（非特許文献１）。
【先行技術文献】
【特許文献】
【０００４】
【特許文献１】特開２００３−１６３８８３公報
【非特許文献】
【０００５】
【非特許文献１】株式会社ＤＮＰフォトイメージングジャパン、“写ｇｏｏ！”、［online］、［平成31年1月28日検索］、インターネット〈URL：http://www.dnpphoto.jp/products/shagoo/〉
【発明の概要】
【発明が解決しようとする課題】
【０００６】
しかしながら、上述したような据置型の写真撮影装置では、その筐体の大きさや撮影場所の制限から一度に撮影できる人数に制限があることが多く、大勢で使用する場合には、数人ずつ別々に撮影した写真しか提供することができなかった。つまり全員の集合写真を提供することができなかった。
【０００７】
本発明は上記の問題に鑑みてなされたものであり、一度に撮影できる人数に制限がある場合でも全員の集合写真を作成し、提供することが可能な写真撮影装置、写真撮影方法、及びプログラムを提供することを目的とする。
【課題を解決するための手段】
【０００８】
前述した課題を解決するための第１の発明は、複数回のクロマキー撮影を行う撮影手段と、前記撮影手段による撮影を行う際に、既に撮影された画像を予め決定された配置領域に配置して表示するとともに、撮影中の画像のライブビューを前記配置領域とは別の配置領域に配置して表示させる表示制御手段と、前記撮影手段により撮影された複数の画像をそれぞれ予め決定された配置領域に配置して１つの合成画像を生成する写真生成手段と、を備えることを特徴とする写真撮影装置である。
【０００９】
本発明の写真撮影装置では、撮影手段により複数回のクロマキー撮影を行う際に、既に撮影された画像を予め決定された配置領域に配置して表示するとともに、撮影中の画像のライブビューを前記配置領域とは別の配置領域に配置して表示させ、また、このようにして撮影された複数枚の画像をそれぞれ予め決定された配置領域に配置して１つの合成画像を生成する。これにより、撮影人数が多く、撮影場所に全員が入りきれない場合でも複数回に分けて撮影した画像を合成して全員の集合写真画像を得ることが可能となる。また、被写体である利用者は既に撮影された画像を確認しながら撮影を行うことができ、全体的に調和のとれた集合写真を作成することが可能となる。
【００１０】
また前記写真撮影装置において、写真に用いるテンプレートを選択するテンプレート選択手段と、前記テンプレート選択手段により選択されたテンプレートに基づいて各回の撮影画像の配置領域を算出する配置領域決定手段を更に備えることが望ましい。これにより、テンプレートに応じて最適な配置領域に各回の撮影画像を配置できるようになる。
【００１１】
また、撮影回数の入力を受け付ける撮影回数入力手段を更に備え、前記配置領域決定手段は、更に、前記撮影回数入力手段により入力された撮影回数に基づいて各回の撮影画像の配置領域を算出することが望ましい。これにより、テンプレート内の撮影画像配置可能領域内に撮影回数に応じて適切な配置で各回の撮影画像を配置できるようになる。
【００１２】
また、撮影人数の入力を受け付ける撮影人数入力手段と、前記撮影人数入力手段により入力された撮影人数に基づいて撮影回数を算出する撮影回数算出手段を更に備え、前記配置領域決定手段は、更に、前記撮影回数算出手段により算出された撮影回数に基づいて各回の撮影画像の配置領域を算出するようにしてもよい。これにより、利用者が撮影人数を入力すると、撮影人数から最適な撮影回数を求め、その撮影回数に基づいて各回の撮影画像の配置領域を算出できる。これにより、テンプレート内の撮影画像配置可能領域内に撮影人数に応じて適切な撮影回数及び配置領域を求めることが可能となる。
【００１３】
また、前記テンプレートの撮影画像配置可能範囲の形状と撮影回数または撮影人数に応じて画像サイズを変更する画像サイズ変更手段を更に備えることが望ましい。画像サイズの変更は、トリミング範囲の変更、または撮影するレンズの画角の変更により行われる。これにより、前記テンプレートの撮影画像配置可能範囲の形状と撮影回数または撮影人数に応じて各回の撮影画像を適切な画像サイズを変更するため、テンプレートに写真を合成した際に、見映えの良い写真を生成できる。
【００１４】
また、前記表示制御手段により表示された既に撮影された画像の配置領域の調整を受け付ける調整手段を更に備えることが望ましい。これにより、配置領域の調整を利用者が自由に行うことができる。
【００１５】
第２の発明は、複数回のクロマキー撮影を行うステップと、各回の撮影を行う際に、既に撮影された画像を予め決定された配置領域に配置して表示するとともに、撮影中の画像のライブビューを前記配置領域とは別の配置領域に配置して表示させるステップと、撮影された複数の画像をそれぞれ予め決定された配置領域に配置して１つの合成画像を生成するステップと、を含むことを特徴とする写真画像作成方法である。
【００１６】
第２の発明の写真画像作成方法では、複数回のクロマキー撮影を行う際に、既に撮影された画像を予め決定された配置領域に配置して表示するとともに、撮影中の画像のライブビューを前記配置領域とは別の配置領域に配置して表示させ、また、このようにして撮影された複数枚の画像をそれぞれ予め決定された配置領域に配置して１つの合成画像を生成する。これにより、撮影人数が多く、撮影場所に全員が入りきれない場合でも複数回に分けて撮影した画像を合成して全員の集合写真画像を得ることが可能となる。また、被写体である利用者は既に撮影された画像を確認しながら撮影を行うことができ、全体的に調和のとれた集合写真を作成することが可能となる。
【００１７】
第３の発明は、コンピュータを、複数回のクロマキー撮影を行う際に、既に撮影された画像を予め決定された配置領域に配置して表示するとともに、撮影中の画像のライブビューを前記配置領域とは別の配置領域に配置して表示させる表示制御手段、前記撮影手段により撮影された複数の画像をそれぞれ予め決定された配置領域に配置して１つの合成画像を生成する写真生成手段、として機能させるためのプログラムである。
【００１８】
第３の発明により、コンピュータを第１の発明の写真撮影装置の制御装置として機能させることが可能となる。
【発明の効果】
【００１９】
本発明により、１回に撮影できる人数に制限があっても全員の集合写真を作成し、提供することが可能な写真撮影装置、写真撮影方法、及びプログラムを提供することが可能となる。
【図面の簡単な説明】
【００２０】
【図１】写真撮影装置１の構成を示す側方透視図
【図２】写真撮影装置１の内部構成を示す図
【図３】写真撮影装置１の制御装置１０の機能構成を示す図
【図４】写真撮影装置１が実行する処理全体の流れを示すフローチャート
【図５】撮影処理の流れを示すフローチャート
【図６】テンプレート選択画面４１及び撮影回数入力画面４２の例を示す図
【図７】（ａ）テンプレート５２内の撮影画像配置可能領域５２ａを示す図、（ｂ）撮影回数が２回の場合の撮影画像配置領域５２ｂ、５２ｃの位置を示す図、（ｃ）撮影画像６１、６２の配置例を示す図、（ｄ）撮影回数が３回の場合の撮影画像配置領域５２ｂ、５２ｃ、５２ｄを示す図、（ｅ）撮影画像６１、６２、６３の配置例を示す図
【図８】（ａ）撮影回数２回の場合の合成画像例、（ｂ）撮影回数３回の場合の合成画像例、
【図９】ライブビュー画面４３の表示例
【図１０】（ａ）１回目の撮影のライブビュー画面４３の表示例、（ｂ）被写体６ａの様子
【図１１】（ａ）２回目の撮影のライブビュー画面４３の表示例、（ｂ）被写体６ｂの様子
【図１２】（ａ）３回目の撮影のライブビュー画面４３の表示例、（ｂ）被写体６ｃの様子
【図１３】合成画像８の例を示す図
【発明を実施するための形態】
【００２１】
以下、図面に基づいて本発明の好適な実施形態について詳細に説明する。
【００２２】
図１は本発明の実施形態に係る写真撮影装置１の構成を示す側方透視図、図２は、写真撮影装置１の内部構成を示す図である。図１に示す写真撮影装置１は、一例としてボックス型の写真撮影装置を示しているが、本発明はボックス型に限定されず、オープン型等、任意の形状の写真撮影装置１に適用可能である。
【００２３】
写真撮影装置１は利用者が自身の撮影を行うものであり、例えば観光地やイベント会場、アミューズメント施設、街頭等に設置された写真撮影装置である。写真撮影装置１は撮影室内の被写体６（利用者）を撮影してその画像を写真としてプリントする機能（写真撮影サービス）を有する。また、写真撮影装置１で撮影した画像をサーバ（不図示）にアップロードし、利用者のスマホ等のユーザ端末からサーバにアクセスして撮影画像をユーザ端末にダウンロードする通信機能（画像アップロードサービス）を有していてもよい。
【００２４】
図１、図２に示すように、本実施形態に係る写真撮影装置１は利用者が撮影室に入って撮影を行うボックス状の外観を有し、筐体１００内に、制御装置１０、照明部（ストロボユニット２０、光源２１）、撮影部（デジタルカメラ）３０、表示部（モニタ）４０、音声出力部５０、コインメック６０、操作部７０、プリンタ８０、通信制御部９０、グリーンバック１０１等を有する。
【００２５】
制御装置１０は、写真撮影装置1全体の動作を制御するコンピュータであり、制御部１１、Ｉ／Ｏ（Input/Output）コントロール１２、Ｉ／Ｆ（インタフェース）１３、記憶部１４、ＲＡＭ（Random Access
Memory）１５、ＤＶＤ（Digital Versatile Disc）記憶部１６等がバスを介して接続された構成を有する。
【００２６】
制御装置１０は、Ｉ／Ｏコントロール１２を介して、ストロボユニット２０、コインメック６０、操作部７０と接続している。また、制御装置１０は、Ｉ／Ｆ１３を介してプリンタ８０、通信制御部９０と接続している。
【００２７】
制御部１１は、写真撮影装置１の各部を集中制御する。制御部１１は、記憶部１４に記憶された写真撮影装置１の各種処理プログラムに従って制御動作を行う。
【００２８】
Ｉ／Ｏコントロール１２は、ストロボユニット２０、コインメック６０、操作部７０等と各種情報を入出力するためのインタフェースである。
Ｉ／Ｆ１３は、プリンタ８０、通信制御部９０との間で各種情報を入出力するためのインタフェースである。
【００２９】
記憶部１４は、写真撮影装置１で実行可能な各種処理プログラムや、プログラムの実行に必要なデータ等を記憶する。
ＲＡＭ１５は、制御部１１により実行される処理プログラムの一時的な格納領域、処理結果の一時的格納領域として機能する。
【００３０】
ＤＶＤ記憶部１６は、記憶部１４に記憶されるデータ等を更新するためのものである。写真撮影装置１の管理者は、ＤＶＤ記憶部１６を介して、記憶部１４に記憶されるデータ等を更新する。
【００３１】
ストロボユニット２０は、被写体６の正面に位置する照明用の光源（ストロボ）２１と接続し、制御部１１から入力される制御信号に従って、光源（ストロボ）２１の発光タイミングや発光量を制御する。
【００３２】
撮影部（デジタルカメラ）３０は、光学レンズと、ＣＣＤ（Charge Coupled Device）やＣＭＯＳ（complementary Metal-Oxide Semiconductor）等の撮影素子と、Ａ／Ｄ（Analog/Digital）変換部等から構成されるデジタルカメラである。
【００３３】
撮影部（デジタルカメラ）３０は、制御部１１から入力される制御信号に従って撮影を行い、撮影により得たデジタル画像データを制御部１１に出力する。制御部１１は、撮影部（デジタルカメラ）３０により入力されたデジタル画像データをモニタ４０にリアルタイムに出力する（ライブビュー）。撮影処理についての詳細は後述する。
【００３４】
表示部（モニタ）４０は、液晶ディスプレイ等のタッチパネル付ディスプレイで、制御部１１から入力される表示信号に従った表示データを表示する。
【００３５】
音声出力部５０は、制御部１１から入力される制御信号に従って所定の音声データを記憶部１４から取得し、スピーカから出力する。音声出力部５０は、例えば記憶部１４に記憶されている案内情報に対応する音声データ等を音声出力する。
【００３６】
コインメック６０は、硬貨や紙幣の入金口や、つり銭の返金口等を供えた課金処理部である。コインメック６０は、入金口から入金された金額に関する情報を制御部１１に出力し、制御部１１から入力される制御信号に従って、つり銭額に応じた硬貨、紙幣を返金口に排出する。なお、更に電子マネー処理部を備え、課金処理を電子マネーによって行えるようにすることが望ましい。
【００３７】
操作部７０は、正面パネルや筐体１００の側面等に備えられた操作ボタン、または表示部（モニタ）４０と一体的に構成されたタッチパネル等から構成され、利用者による操作に応じた制御信号を制御部１１に送る。
【００３８】
プリンタ８０は、制御部１１から入力される制御信号に従って、撮影画像から生成された写真の画像データを所定の用紙にプリントする。プリンタ８０は高解像度カラープリンタであり、昇華型、溶融型等、プリンタの方式は問わない。
【００３９】
通信制御部９０は、写真撮影装置１のネットワーク４を介した通信を制御する。
【００４０】
グリーンバック１０１は、撮影室内の撮影部（デジタルカメラ）３０に対向する面、すなわち被写体６の背景となる面に設けられる。グリーンバック１０１は、クロマキー処理を行うための背景色（例えばグリーンやブルー等の単色）のロールスクリーンを用いてもよいし、背景色を表示する表示装置（背景モニタ）としてもよい。被写体６の服装の色と重複しないように、グリーンバック１０１の色は変更可能とすることが望ましい。
【００４１】
次に、本発明に係る写真撮影装置１の機能構成について説明する。
図３は写真撮影装置１の機能構成を示す図である。
【００４２】
図３に示すように、写真撮影装置１の制御部１１は、背景除去画像生成部３１、表示制御部３２、調整部３４、写真生成部３３、テンプレート選択部７１、配置領域決定部７５、撮影回数入力部７２、撮影人数入力部７３、撮影回数算出部７４、画像サイズ変更部７６等を有する。
【００４３】
本発明において、撮影部（デジタルカメラ）３０は複数回のクロマキー撮影を行う。背景除去画像生成部３１は、撮影部（デジタルカメラ）３０により撮影された画像から背景を除去した画像である背景除去画像を生成する。
【００４４】
表示制御部３２は、撮影部（デジタルカメラ）３０による撮影を行う際に、既に撮影された画像（背景除去画像）をそれぞれ予め決定された配置領域に配置するとともに、撮影中の画像のライブビューを上記配置領域とは別の配置領域に表示させる。ライブビューとは、撮影部（デジタルカメラ）３０により撮像中の映像のリアルタイム表示である。配置領域は撮影回毎に決定される領域であり、各撮影回で異なる領域となる。配置領域の算出については後述する。
【００４５】
調整部３４は、表示制御部３２により表示されている既に撮影された画像の配置領域の調整を受け付ける。調整は、利用者の操作により行われる。
【００４６】
写真生成部３３は、撮影部３０により撮影された複数枚の画像（背景除去画像）をそれぞれの配置領域に配置して１つの合成画像８を生成する。生成した合成画像８は、プリンタ８０に入力され、写真として印刷される。
【００４７】
テンプレート選択部７１は、写真に用いるテンプレートの選択を受け付ける。テンプレート選択部７１は、例えば、図６に示すようなテンプレート選択画面４１をユーザインターフェースとして提供することが望ましい。テンプレートの画像データは記憶部１４に予め記憶されている。
【００４８】
配置領域決定部７５は、テンプレート選択部７１により選択されたテンプレートに基づいて各撮影回の撮影画像が最適に配置されるように、各撮影回の撮影画像の配置領域を算出する。
【００４９】
また、撮影回数入力部７２を備え、配置領域決定部７５は、撮影回数入力部７２により入力された撮影回数に基づいて各撮影回の撮影画像の配置領域を算出する。
撮影回数入力部７２はクロマキー撮影の回数の入力を受け付ける。撮影回数入力部７２は、例えば、図６に示すような撮影回数入力画面４２をユーザインターフェースとして提供することが望ましい。撮影回数は、撮影人数に応じて利用者が決定してよい。
【００５０】
また、撮影回数入力部７２に代えて、撮影人数入力部７３及び撮影回数算出部７４を設けてもよい。撮影人数入力部７３は、撮影人数の入力を受け付ける。撮影回数算出部７４は、撮影人数入力部７３により入力された撮影人数に基づいて撮影回数を算出する。
撮影人数入力部７３により撮影人数が入力されると、撮影回数算出部７４は撮影人数に応じた適切な撮影回数を算出する。配置領域決定部７５は、算出された撮影回数に基づいて各回の撮影画像の配置領域を算出する。
【００５１】
画像サイズ変更部７６は、テンプレートの撮影画像配置可能領域の形状（縦横比等）と撮影回数または撮影人数に応じて画像サイズを変更する。画像サイズの変更は、撮影画像のトリミング範囲を変更することにより行ってもよいし、デジタルカメラ３０のレンズの画角を変更することで画像サイズを変更してもよい。
【００５２】
次に、写真撮影装置１が実行する処理の流れについて説明する。
図４は、写真撮影装置1が実行する処理全体の流れを示すフローチャートである。
【００５３】
画像を撮影する利用者は写真撮影装置１の中に入る。すると、写真撮影装置１の制御部１１は、センサ（不図示）によって利用者（被写体６）を検知すると（ステップＳ１０１）、表示部（モニタ）４０にトップ画面を表示させる（ステップＳ１０２）。トップ画面では、メニュー選択を受け付ける。メニュー選択では、写真撮影を行うか、ダウンロードプリントを行うか等の各種メニューが選択可能となっている（ステップＳ１０３）。その後、制御部１１は、選択されたメニューに応じた課金を促すメッセージを表示させる。利用者は表示されたメッセージを確認し、コインメック６０に入金する（ステップＳ１０４）。なお、入金は現金のほか電子マネーによって行うこともできることが望ましい。
【００５４】
写真撮影装置１の制御部１１は、課金処理を行うと、写真の撮影処理を開始する（ステップＳ１０５）。撮影処理では、本実施の形態では、集合写真撮影を実施するものとする。
【００５５】
図５は本発明における撮影処理の流れを示すフローチャートである。撮影処理において、写真撮影装置１の制御部１１（テンプレート選択部７１、撮影回数入力部７２）は、まず、テンプレートの選択及び撮影回数（人数）の入力を受け付ける（ステップＳ２０１、ステップＳ２０２）。図６は、表示部（モニタ）４０に表示されるテンプレート選択画面４１及び撮影回数入力画面４２の例を示している。図６のテンプレート選択画面４１では、テンプレート５１、５２、５３が選択可能に表示されている。また、図６の撮影回数入力画面４２では、１回〜４回の撮影回数を示すボタン４２ａ、４２ｂ、４２ｃ、４２ｄが選択可能に表示される。撮影人数の入力を受け付ける場合は、制御部１１（撮影人数入力部７３）は撮影回数入力画面４２に代えて撮影人数を入力する画面を表示し、利用者の操作によって撮影人数の入力を受け付ける。また、制御部１１（撮影回数算出部７４）は入力された撮影人数に応じて最適な撮影回数を算出する。１回の撮影で撮影可能な人数の上限は、筐体１００の広さに応じて決定される。
【００５６】
利用者のタッチ操作によってテンプレート５１、５２、５３のいずれかが選択され、撮影回数が入力されると、制御部１１は、各撮影回（１回目、２回目、３回目、…）の撮影画像の配置領域を算出する（ステップＳ２０３）。
【００５７】
ステップＳ２０３の撮影画像の配置領域算出処理において、制御部１１（配置領域決定部７５）は、ステップＳ２０１で選択されたテンプレート（例えば、テンプレート５２）の撮影画像配置可能領域５２ａの形状及びステップＳ２０２において選択された撮影回数（例えば、３回）に基づいて各撮影回（１回目、２回目、３回目）の撮影画像の配置領域（以下、撮影画像配置領域という）を算出する。
【００５８】
図７は、撮影画像配置領域の算出例を示す図である。図７（ａ）の符号５２ａはテンプレート５２に予め定められている撮影画像配置可能領域５２ａである。制御部１１は、撮影画像配置可能領域５２ａ内に各撮影回の撮影画像がバランスよく配置されるように各撮影回の撮影画像配置領域を決定する。なお、撮影画像配置領域を算出する際、撮影画像配置可能領域５２ａの範囲全てを使用する必要はない。例えば、撮影回数が２回である場合は、図７（ｂ）に示すように、１回目の撮影画像配置領域５２ｂと２回目の撮影画像配置領域５２ｃが算出される。この場合、図７（ｃ）に示すように、１回目の撮影画像６１が撮影画像配置領域５２ｂ内に配置され、２回目の撮影画像６２が撮影画像配置領域５２ｃ内に配置されることとなる。
【００５９】
同様に、撮影回数が３回である場合は、例えば、図７（ｄ）に示すように、１回目の撮影画像配置領域５２ｂと２回目の撮影画像配置領域５２ｃと３回目の撮影画像配置領域５２ｄとが算出される。図７（ｅ）に示すように、１回目の撮影画像６１が図７（ｃ）の撮影画像配置領域５２ｂに配置され、２回目の撮影画像６２が図７（ｃ）の撮影画像配置領域５２ｃに配置され、３回目の撮影画像６３が図７（ｃ）の撮影画像配置領域５２ｄに配置されることとなる。なお、図７の例では、各撮影回の撮影画像配置領域５２ｂ〜５２ｄは横並びに算出されるが、各撮影画像配置領域の配置は横並びに限定されない。例えば、縦並びやブロック状（撮影画像配置可能領域５２ａを縦及び横に分割）としてもよい。
【００６０】
また、制御部１１（画像サイズ変更部７６）は、写真の見映えをよくするために撮影回数に応じて適切な画像サイズ（トリミングサイズまたは撮影部（デジタルカメラ）３０のレンズの画角）を算出し、変更する（ステップＳ２０４）。例えば図８に示すように、撮影回数が２回の場合は画像のトリミングサイズを狭くし、撮影回数が３回の場合は２回の場合よりも画像のトリミングサイズを広くする。或いは、画角を変更する場合は、撮影回数が２回の場合はレンズの画角を狭くとり、撮影回数が３回の場合は２回の場合よりもレンズの画角を広くとるようにすればよい。これにより、撮影回数に応じた適切な画像サイズを得ることができ、見映えのよい合成写真８を作成することができる。
【００６１】
次に、制御部１１は、ステップＳ２０１で選択されたテンプレート５２を表示部（モニタ）４０に表示し、表示したテンプレート５２内の１回目の撮影の撮影画像配置領域５２ｂ（ステップＳ２０３で決定された配置領域）に、被写体６の映像をライブビュー表示する。ライブビュー表示とは、現在カメラ３０で撮像している画像（映像）をリアルタイムに表示することである（ステップＳ２０５）。
【００６２】
図９は、表示部（モニタ）４０のライブビュー画面４３の例である。ライブビュー画面４３内にはテンプレート５２が表示される。また、表示部（モニタ）４０には「撮影ボタンを押してね」といった撮影（シャッター）を受け付けるメッセージ４４とともに撮影ボタン４５が表示される。１回目の撮影（撮影ボタン４５のタッチ）までの間は（ステップＳ２０６；Ｎｏ）、図１０（ａ）に示すライブビュー画面４３のように、制御部１１は、１回目の撮影画像配置領域５２ｂ内に１回目の撮影時の被写体６ａのライブビュー６１Ｌを表示する。図１０（ｂ）は１回目の撮影時の被写体６ａの様子を示している。
【００６３】
撮影ボタン４５がタッチされ、撮影指示が入力されると（ステップＳ２０６）、撮影部（デジタルカメラ）３０は撮影を行う（ステップＳ２０７）。制御部１１は（背景除去画像生成部３１）、撮影により得た画像（撮影画像）から背景を除去した画像である背景除去画像を生成し（ステップＳ２０８）、ＲＡＭ１５に記憶する（ステップＳ２０９）。
【００６４】
制御部１１は、残りの撮影回が有るか否かを判定する。ステップＳ２０２で入力した撮影回数がまだ残っている場合（ステップＳ２１０；Ｙｅｓ）は、制御部１１（表示制御部３２）は、既に撮影された画像の背景除去画像をテンプレート５２内の各回の撮影画像配置領域（ステップＳ２０３で算出された撮影画像配置領域５２ｂ）に配置して表示するとともに、次の撮影回の被写体６ｂをライブビュー表示する（ステップＳ２１１）。
【００６５】
２回目の撮影（撮影ボタン４５のタッチ）までの間は（ステップＳ２１２；Ｎｏ）、図１１（ａ）に示すライブビュー画面４３のように、１回目の撮影画像配置領域５２ｂの位置に１回目の撮影画像６１の背景除去画像が表示されるとともに、２回目の被写体６ｂのライブビュー６２Ｌが２回目の撮影画像配置領域５２ｃに表示される。図１１（ｂ）は２回目の撮影時の被写体６ｂの様子を示している。
【００６６】
撮影ボタン４５がタッチされ、撮影指示が入力されると（ステップＳ２１２；Ｙｅｓ）、撮影部（デジタルカメラ）３０は画像を撮影する（ステップＳ２０７）。制御部１１は、撮影画像から背景を除去した画像である背景除去画像を生成し（ステップＳ２０８）、ＲＡＭ１５に記憶する（ステップＳ２０９）。
【００６７】
制御部１１は、残りの撮影回が有るか否かを判定する。ステップＳ２０２で入力した撮影回数がまだ残っている場合（ステップＳ２１０；Ｙｅｓ）は、制御部１１は、既に撮影された画像の背景除去画像をテンプレート５２内の所定の撮影画像配置領域（ステップＳ２０３で算出された撮影画像配置領域５２ｂ、５２ｃ）に配置するとともに、次の撮影回の被写体６ｃをライブビュー表示する（ステップＳ２１１）。
【００６８】
３回目の撮影（撮影ボタン４５のタッチ）までの間は（ステップＳ２１２；Ｎｏ）、図１２（ａ）に示すライブビュー画面４３のように、１回目の撮影画像配置領域５２ｂ内に１回目の撮影画像６１の背景除去画像が表示され、２回目の撮影画像配置領域５２ｃ内に２回目の撮影画像６２の背景除去画像が表示される。更に、３回目の被写体６ｃのライブビュー６３Ｌが３回目の撮影画像配置領域５２ｄに表示される。図１２（ｂ）は３回目の撮影時の被写体６ｃの様子を示している。
【００６９】
制御部１１は、残りの撮影回が有るか否かを判定する。ステップＳ２０２で入力した撮影回数が残っていない場合（ステップＳ２１０；Ｎｏ）は撮影処理を終了し、図４のステップＳ１０６へ移行する。
【００７０】
図４のステップＳ１０６において、制御部１１（写真生成部３３）は、各回で撮影した画像（背景除去画像６１、６２、６３）を、各回の撮影画像配置領域５２ｂ、５２ｃ、５２ｄに配置した状態（調整部３４により位置が調整されている場合は調整後の位置）で合成し、合成画像８を作成する（ステップＳ１０６）。制御部１１は、合成画像８を記憶部１４に記憶するとともに、プリンタ８０等に出力する（ステップＳ１０７）。ステップＳ１０７において、制御部１１は、合成画像８をプリンタ８０に出力し、印刷する。或いは、制御部１１は、合成画像８を通信制御部９０からネットワーク４上に設けられる画像サーバにアップロードし、画像サーバの記憶部に記憶するようにしてもよい。合成画像８を出力すると、写真撮影装置１による一連の処理を終了する。
【００７１】
以上説明したように、本発明に係る写真撮影装置１は、撮影部（デジタルカメラ）３０により複数回のクロマキー撮影を行う際に、既に撮影された画像を予め決定された撮影画像配置領域（１回目は撮影画像配置領域５２ｂ、２回目は撮影画像配置領域５２ｃ）に配置するとともに、撮影中（例えば、３回目）の画像のライブビューを上記撮影画像配置領域５２ｂ、５２ｃとは別の撮影画像配置領域５２ｄに配置して表示させる。また、撮影された複数枚の画像をそれぞれ予め決定された撮影画像配置領域５２ｂ、５２ｃ、５２ｄに配置して１つの合成画像８を生成する。これにより、撮影人数が多く撮影場所に全員が入りきれない場合でも複数回に分けて撮影した画像を合成して全員の集合写真を得ることが可能となる。また、被写体６である利用者は既に撮影された画像を画面上で確認しながら撮影を行うことができるので、全体的に調和のとれた集合写真を作成することが可能となる。
【００７２】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７３】
１：写真撮影装置
４：ネットワーク
６：被写体
８：合成画像
１０：制御装置
１１：制御部
１２：Ｉ／Ｏコントロール
１３：Ｉ／Ｆ
１４：記憶部
１５：ＲＡＭ
１６：ＤＶＤ記憶部
２０：ストロボユニット
３０：撮影部（デジタルカメラ）
３１：背景除去画像生成部
３２：表示制御部
３３：写真生成部
３４：調整部
４０：表示部（モニタ）
４１：テンプレート選択画面
４２：撮影回数入力画面
４３：ライブビュー画面
５０：音声出力部
５１、５２、５３：テンプレート
５２ａ：撮影画像配置可能領域
５２ｂ：１回目の撮影画像配置領域
５２ｃ：２回目の撮影画像配置領域
５２ｄ：３回目の撮影画像配置領域
６０：コインメック
６１、６２、６３：撮影画像
６１Ｌ、６２Ｌ、６３Ｌ：ライブビュー
７０：操作部
７１：テンプレート選択部
７２：撮影回数入力部
７３：撮影人数入力部
７４：撮影回数算出部
７５：配置領域決定部
７６：画像サイズ変更部
８０：プリンタ
９０：通信制御部
１００：筐体
１０１：グリーンバック
【図１】
2020127165.tif 000003
【図２】
2020127165.tif 000004
【図３】
2020127165.tif 000005
【図４】
2020127165.tif 000006
【図５】
2020127165.tif 000007
【図６】
2020127165.tif 000008
【図７】
2020127165.tif 000009
【図８】
2020127165.tif 000010
【図９】
2020127165.tif 000011
【図１０】
2020127165.tif 000012
【図１１】
2020127165.tif 000013
【図１２】
2020127165.tif 000014
【図１３】
2020127165.tif 000015